(57)【要約】【課題】  高い気密性を安定して確保できるとともに、耐久性に優れた竪タイト材の提供。【解決手段】  基部１１ａと、基部から突出するシール片１１ｂとを備え、基部は、閉状態の引戸１，２室内側面に対向する竪枠見付面１９に固定してあり、シール片は、基部から竪枠見込み面２０に向けて斜めに延びる斜め部１１ｄと、竪枠の見込み面に当接し支点となる竪枠当接部１１ｅと、引戸開閉方向と略平行に設けてあり且つ斜め部と竪枠当接部とを繋ぐ連結部１１ｆとを有し、斜め部が引戸先端に押されて弾性変形することを特徴とする。【選択図】      図１
2006225885.tif 000002
【特許請求の範囲】
【請求項１】
基部と、基部から突出するシール片とを備え、基部は、閉状態の引戸室内側面に対向する竪枠見付面に固定してあり、シール片は、基部から竪枠見込み面に向けて斜めに延びる斜め部と、竪枠の見込み面に当接し支点となる竪枠当接部と、引戸開閉方向と略平行に設けてあり且つ斜め部と竪枠当接部とを繋ぐ連結部とを有し、斜め部が引戸先端に押されて弾性変形することを特徴とする竪タイト材。
【発明の詳細な説明】
【技術分野】
【０００１】
本発明は、サッシ窓の竪枠等に取付けられ、閉鎖した引戸先端と竪枠との隙間を塞ぐ竪タイト材に関するものである。
【背景技術】
【０００２】
引き違いサッシでは、内外の障子の召し合せ框の間、竪枠と障子の戸先框の間、横枠と障子の横框の間にそれぞれタイト材を設け、窓の気密性や水密性の向上を図っている。特許文献１の図７には竪枠に設ける竪タイト材が記載されており、この竪タイト材は、竪枠の内周側に突設したタイト材ホルダーに固定される基部と、基部の竪枠に近い方の側縁から竪枠側に傾斜して室外側にまっすぐに延びる先端シール片と、基部の竪枠から遠い方の側縁から室外側に突設され途中で竪枠側に折れ曲った形状の室内側シール片とを備え、引戸を閉鎖すると、先端シール片は引戸先端が当接して竪枠側に倒れるように弾性変形し、室内側シール片は引戸の室内側面に面接触する。
【０００３】
上記従来のタイト材は、先端シール片が片持ち状であることから、引戸先端に当たる力が弱くシール性が不十分となることがあった。また、繰り返し曲げられるうちにシール片にへたりが生じ易く、耐久性に問題があった。
【特許文献１】特開２００１−４０９５５号公報
【発明の開示】
【発明が解決しようとする課題】
【０００４】
本発明は以上に述べた実情に鑑み、高い気密性を安定して確保できるとともに、耐久性に優れた竪タイト材の提供を目的とする。
【課題を解決するための手段】
【０００５】
上記の課題を達成するために本発明による竪タイト材は、基部と、基部から突出するシール片とを備え、基部は、閉状態の引戸室内側面に対向する竪枠見付面に固定してあり、シール片は、基部から竪枠見込み面に向けて斜めに延びる斜め部と、竪枠の見込み面に当接し支点となる竪枠当接部と、引戸開閉方向と略平行に設けてあり且つ斜め部と竪枠当接部とを繋ぐ連結部とを有し、斜め部が引戸先端に押されて弾性変形することを特徴とする。
【発明の効果】
【０００６】
本発明による竪タイト材は、基部から突出するシール片が、基部から竪枠見込み面に向けて斜めに延びる斜め部と、竪枠の見込み面に当接し支点となる竪枠当接部と、引戸開閉方向と略平行に設けてあり且つ斜め部と竪枠当接部とを繋ぐ連結部とを有しており、引戸を閉鎖すると、シール片は竪枠当接部が竪枠見込み面に当接した状態で斜め部が引戸先端に押されてへこむように弾性変形し、竪枠と引戸先端との隙間を確実にシールすることができ、且つ竪枠当接部が竪枠見込み面に当接していることで耐久性も良好となる。また、引戸閉鎖時にシール片より引戸に反発力が働くので、引戸が開けやすくなる。
【発明を実施するための最良の形態】
【０００７】
以下、本発明の実施の形態を図面に基づいて説明する。図２は引き違い窓の横断面図であり、図３は同縦断面図である。この引き違い窓は、上枠４、下枠３、及び左右の竪枠５ａ，５ｂを四周枠組みして構成した窓枠１４内に外障子１と内障子２を備え、外障子１と内障子２は、上枠４と下枠３に設けたレール１５に沿って左右に移動し、窓枠１４内で引き違い式に開閉するものである。内外障子１，２は、閉鎖時には戸先框７ａ，７ｂに設けた引き寄せピース１６と、内障子の召し合せ框６ｂに設けたクレセントとグレモン機構からなる施錠装置（図示省略）の作用により、室内側に引き寄せられて移動不能に施錠できる。内外障子の召し合せ框６ａ，６ｂの間と、竪枠５ａ，５ｂと障子戸先框７ａ，７ｂとの間には竪タイト材１０，１１を設けてあり、下枠３と障子下框８ａ，８ｂの間、及び上枠４と障子上框９ａ，９ｂとの間には横タイト材１３を設けてあって、障子閉鎖時には窓枠１４の開口部を内外障子１，２で気密性を保って閉鎖できる。図中の符号１２は、内障子２を開放したときにクレセントが竪枠５ａに衝突するのを防ぐ内障子ストッパーである。
【０００８】
図１は、外障子１戸当り部の拡大した横断面図であり、図１（ａ）は外障子開状態、図１（ｂ）は外障子閉状態を示している。竪枠５ａは、閉状態の外障子戸先框７ａ室内側面に対向するようにタイト材ホルダー１９を内周側に突出して形成してあり、このタイト材ホルダー１９に竪タイト材１１を室外向きに取付けてある。この竪タイト材１１は、タイト材ホルダー１９に嵌め込んで固定される基部１１ａと、基部の左右端部から室外側に突出する先端シール片１１ｂと室内側シール片１１ｃを備えている。竪枠の見込み面２０に近い方の先端シール片１１ｂは、基部から竪枠見込み面２０に向けて斜めに延びる斜め部１１ｄと、竪枠見込み面２０に当接し支点となる竪枠当接部１１ｅと、引戸開閉方向と略平行に設けてあり且つ斜め部１１ｄと竪枠当接部１１ｅとを繋ぐ連結部１１ｆを有している。竪枠見込み面２０から遠い方の室内側シール片１１ｃは、見込み方向に延びる突出部１１ｇと、その先端部より竪枠側に向けて斜めに延びる当接部１１ｈとを有している。基部１１ａは半硬質樹脂で形成してあり、シール片１１ｂ，１１ｃは軟質樹脂で形成してある。
【０００９】
外障子１を閉鎖して施錠すると、図１（ｂ）に示すように、外障子戸先框７ａの室内側の先端部が先端シール片１１ｂの斜め部１１ｄに当接し、先端シール片１１ｂは、竪枠当接部１１ｅと、基部１１ａとの連結部の二箇所を支点として斜め部１１ｄがへこむように弾性変形し、外障子１先端と竪枠５ａとの隙間が確実にシールされる。これにより障子戸当り部の高い気密性、遮音性を得ることができる。また先端シール片１１ｂは、外障子１を開放すれば元の図１（ａ）の状態に確実に復帰するし、耐久性も良好である。室内側シール片１１ｃは、当接部１１ｈが戸先框７ａ室内側面に当接する。外障子１を開けるときには、先端シール片１１ｂの斜め部１１ｄが弾性変形することで戸先框７ａに反発力が働いているので、外障子１を軽く開けることができる。
【００１０】
右側の竪枠５ｂは、室内側壁の先端部室外側面にタイト材ホルダー１９が設けてあり、タイト材ホルダー１９に竪タイト材１１が同じように設けてあり、障子閉鎖時の内障子戸先框７ｂと竪枠５ｂとの間の隙間を竪タイト材１１でシールしている。
【００１１】
本発明の竪タイト材は、引き違い窓に限らず、外動や内動の片引き窓等、引戸を用いるあらゆる窓や出入口等に用いることができる。
【図面の簡単な説明】
【００１２】
【図１】外障子の戸当り部の拡大した横断面図であって、（ａ）は外障子開状態、（ｂ）は外障子閉状態を示している。
【図２】本発明の竪タイト材を取付けた引き違い窓の横断面図である。
【図３】本発明の竪タイト材を取付けた引き違い窓の縦断面図である。
【符号の説明】
【００１３】
１  外障子（引戸）
２  内障子（引戸）
３  下枠（横枠）
４  上枠（横枠）
５ａ，５ｂ  竪枠
６ａ，６ｂ  召し合せ框
７ａ，７ｂ  戸先框
８ａ，８ｂ  下框（横框）
９ａ，９ｂ  上框（横框）
１１  竪タイト材
１１ａ  基部
１１ｂ  先端シール片（シール片）
１１ｄ  斜め部、１１ｅ  竪枠当接部、１１ｆ  連結部
１３  横タイト材
１９  タイト材ホルダー（竪枠見付面）
２０  竪枠見込み面
【図１】
2006225885.tif 000003
【図２】
2006225885.tif 000004
【図３】
2006225885.tif 000005